(57)【特許請求の範囲】
【請求項１】
板材に留め具の位置を等間隔にマーキングするための器具であって、スライド部材、マーキング部材およびガイド部材よりなり、
前記スライド部材は、その下面に前記板材の表面上を滑動するための滑動面を有し、
前記マーキング部材は、前記スライド部材に立設された支柱に横架された軸に回転自在に軸架された回転ドラムと、該回転ドラムの円周面に埋め込まれたマーカーとを有し、
前記ガイド部材は、前記板材の側面に沿って摺動する摺動板と、該摺動板をその先端に取り付けたスライドバーとを備え、
前記スライドバーは、前記スライド部材上に設けられた誘導金具によって摺動自在に支承されると共に所定の位置に固定金具によって固定されることを特徴とするマーキング用器具。
【請求項２】
前記マーカーは、マーカー用芯材を備えていることを特徴とする請求項１に記載のマーキング用器具。
【請求項３】
前記回転ドラムの両端に弾性リングを備えたことを特徴とする請求項１又は２に記載のマーキング用器具。
【請求項４】
前記ガイド部材の固定金具は前記誘導金具に設けられた螺子溝に螺合する螺子棒と把持部を構成する螺子頭部とを有することを特徴とする請求項１〜３のいずれか１項に記載のマーキング用器具。
【請求項５】
前記スライド部材には前記マーキングの軌跡と重なる部分を切欠して前記板材と接触しない凹溝を設けたことを特徴とする請求項１〜４のいずれか１項に記載のマーキング用器具。
【請求項６】
前記スライドバーには前記摺動板の摺動面からマーカーまでの距離を表示する目盛が付され、前記スライド部材には前記目盛の基点となる目印が付けられていることを特徴とする請求項１〜５のいずれか１項に記載のマーキング用器具。
【発明の詳細な説明】
【技術分野】
【０００１】
本発明は、合板、石膏ボードなどの板材を釘やビスなどの留め具によって下地材に止め付ける際に、板材に留め具の止め付け位置を等間隔にマーキングするための器具に関する。
【０００２】
従来はこの作業は作業員が巻き尺とマーカーを使って等間隔に板材上にマーキングしていた。この作業は中腰になって、巻き尺の目盛りを見ながら行うので重労働であり、しかも、往々にして間隔を間違えるようなミスを犯すことがあった。
【０００３】
そこで、把持部に回転自在に取り付けられた案内車の外周面にマーカーを等間隔に取り付けた表示具が提案された（特開平１０−３９７６７号公報参照）。この表治具は、把持部を持って留め具を打ち付ける基準線に沿って案内車を転がしてゆけば、案内車の外周面に取り付けられたマーカーによって板材上に等間隔にマーキングすることができるものであり、マーキングの作業能率を上げることができる。
【特許文献１】特開平１０−３９７６７号公報
【発明の開示】
【発明が解決しようとする課題】
【０００４】
ところが上記特開Ｈ１０−３９７６７号公報に記載された表示具は、案内車は１輪であり手で押してゆくので基準線を離れたり、蛇行したりしてしまうという欠点がある。
更に、マーカーの先端は案内車の外表面に突出しているので、マーカーの先端が板材に当たるたびにがたがたと上下動するという欠点がある。また、案内車を押してゆく力の懸け具合によっては、案内車がスリップして、マーカの位置がずれてしまうという欠点もある。さらに、各マーカーは表示液を含浸したフエルト等を充填した棒状容器に収められているので、表示液の充填量が比較的少なく、たびたび表示液を補給しなければならないという欠点もある。
【０００５】
本発明は、板材の所定位置に正確に等間隔にマークを捺印できるマーキング用器具を安価に提供することを第１の目的とする。
【０００６】
本発明は、マーカーを保持した回転ドラムが蛇行したり、ガタガタと上下動せずにスムーズに回転して、正確に等間隔のマークを捺印できるマーキング用器具を提供することを第２の目的とする。
【０００７】
本発明は、充分な表示液を内部に保有可能にし、長時間連続使用可能なマーキング用器具を提供することを第３の目的とする。
【課題を解決するための手段】
【０００８】
本発明のマーキング用器具は、スライド部材、マーキング部材およびガイド部材よりなり、前記スライド部材は、その下面に前記板材の表面上を滑動するための滑動面を有し、
前記マーキング部材は、前記スライド部材に立設された支柱に横架された軸に回転自在に軸架された回転ドラムと、該回転ドラムの円周面に埋め込まれたマーカーとを有し、前記ガイド部材は、前記板材の側面に沿って摺動する摺動板と、該摺動板をその先端に取り付けたスライドバーとを備え、前記スライドバーは、前記スライド部材上に設けられた誘導金具によって摺動自在に支承されると共に所定の位置に固定金具によって固定されることを特徴とする。
【０００９】
上記マーカーは、マーカー用芯材を備えていることを特徴とする。
【００１０】
本発明のマーキング用器具は、前記回転ドラムの両端に弾性リングを備えたことを特徴とする。
【００１１】
さらに、上記ガイド部材の固定金具は上記誘導金具に設けられた螺子溝に螺合する螺子棒と把持部を構成する螺子頭部とを有することを特徴とする。
【００１２】
従って、ガイド部材はスライド部材に対して伸縮自在に動かすことができ、板材の側壁から予め定められた距離に固定することができるので、マーカーを板材から予め定められた基準線上に沿って誘導することができる。
【００１３】
ガイド部材のスライドバーに摺動板の摺動面からマーカーまでの距離を表示する目盛が付され、スライド部材にはその目盛りの基点となる目印が付けられているので、マーカーを正しい位置に設定することができる。
【発明の効果】
【００１４】
本発明のマーキング用器具は、スライド部材を板材上で摺動させると、板材との摩擦によって回転ドラムが回転し、等間隔で板材上にマーキングを施すことができる。
【００１５】
本発明のマーキング用器具は、ガイド部材のスライドバーがスライド部材に対して動かせると共に、板材の側壁から予め定められた距離に固定することができるので、マーカーを板材の側壁から予め定められた距離にある基準線上に沿って誘導することができ、正確な位置にマーキングを施すことができる。
【発明を実施するための最良の形態】
【００１７】
本発明の最良の実施形態を次の実施例によって説明する。
【実施例】
【００１８】
（実施例１）
図１は本発明のマーキング用器具の斜面図、図２はその平面図、図３は正面図、図４は側面図である。
マーキング用器具１はスライド部材２、マーキング部材３およびガイド部材５よりなる。スライド部材２は方形の金属の厚板よりなり、その下面に板材の表面上を滑動するための滑動面２１１（図３）を備えている。また両サイドはやや上方向に反り返って裾部２６、２６を構成しているので、スライド部材２を前後方向に移動させるときに、多少のゴミくず等が存在してもスムーズに摺動させることができる。
【００１９】
マーキング部材３はスライド部材２の表面に開けられた大きな四角の透孔２８を挟んで立設された１対の支柱２１、２１に横架された回転軸２２に回転自在に軸架された円筒状の回転ドラム３１、この回転ドラム３１の円周面よりその先端が突出するように回転ドラム３１に埋め込まれた少なくとも１個のマーカー３２および回転ドラム３１の両端に取り付けられた弾性リング３３、３３とを備えている。弾性リング３３はゴム等の弾性体よりなり、回転ドラム３１を回転させると共に、マーカー３２の芯体３２１（図７）に過度な力が加わるのを防いでいる。
【００２０】
図５は支柱の側面図を示すものであって、回転ドラムの大小に応じて、複数の軸受け穴２１２が削設されている。２１３は支柱２１固定用のＬ字型の脚である。
【００２１】
図６はスライド部材２の裏面を示すものである。スライド部材２に開けられた透孔２８より回転ドラム３１の弾性リング３３が僅かに突出して、板材Ｔと接触して回転ドラム３１に回転力を与え、回転ドラム３１の回転によってマーカー３２で板材Ｔ上に等間隔でマークを付けて行く。マーカー３２の塗布液に水溶性のものを使用した場合は乾きが悪く、マークを付けた直後にスライド部材２を摺動させると、未乾燥の塗布液を擦って板材を汚してしまうので、マーカー３２が通過する軌跡と重なるスライド部材２の滑動面２１１の一定範囲の底面を削って凹溝２９を形成している。
【００２２】
ガイド部材５は板材Tの側面Sに沿って摺動する摺動板５１とこの摺動板５１をその先端に取り付けたスライドバー５２とを備えている。スライドバー５２はスライド部材２上に設けられた誘導金具２３によって摺動自在に支承されると共に所定の位置に固定金具５３によって固定される。固定金具５３はその下部に螺子棒５４が下方に突出しており、その上部は大きな把持部５５が構成されている。螺子棒５４は誘導金具２３に設けられた裸子孔（図示せず）に螺合され、その先端は誘導金具２３を貫通してスライドバー５２の表面に接している。
【００２３】
スライドバー５２の表面には目盛り５６が刻まれ、摺動板５１の表面即ち板材Ｔの側面Sからの距離を表示することができる。一方、スライド部材２の表面には矢印２７が刻まれ、板材Ｔの側面Ｓからマーカー３２までの距離を読み取ることができるようになっている。従って、マーカー３２を基準線Ｌにそって正確に誘導することができる。
【００２４】
マーカー３２は図７および図８に示すように、回転軸２２を挿通するための貫通孔３２２を有する回転円筒３２３とそれに直交するように取り付けられたマーカー容器３２４よりなる。マーカー容器３２４はその下端に設けられた雄螺子部３２６と回転円筒３２３に設けた台座３２５の雌螺子部３２７とは螺合されているので、必要に応じて両者を分離解体することができる。
【００２５】
マーカー容器３２４はその先端に穴３３１を有し、そこから芯材３２１が突出している。容器３２４内の芯材３２１の周囲には不織布３２８等が巻きつけられている。容器３２４の底部にはスプリング３３４が収納され、芯材３２１を常に外方に突出するように付勢している。
【００２６】
マーカー容器３２４の周囲には複数個のスリット３３３が設けられ、回転ドラム３１に開けられた空洞部３１３に収容されるスポンジ３２９等に吸収された塗布液を容器３２４内に流入させている。空洞部３１３には蓋３１１を嵌めてスポンジ３２９が脱落するのを防いでいる。空胴部３１３は充分な容量を確保することが容易であるので、ここには充分な塗布液を吸収するためのスポンジ３２９を収容することができる。
【００２７】
蓋３１１の内側に設けた円筒状の栓３３２は回転円筒３２３に嵌め込まれ、回転軸２２が挿通されている貫通孔を通じて塗布液が外部に流出するのを防いでいる。
【００２８】
図中３１４は回転ドラム３１に設けたボスで、回転ドラム３１と支柱２１との間のクリアランスを確保するためのものであり、反対側にも同様な目的でカラー３１５が回転軸２２に嵌め込まれている。２２１は回転軸２２の固定用のナットである。
【００２９】
このマーキング用器具１の使用に当たって、まず、図２に示すように、摺動板５１の側面を板材Ｔの側面Ｓに当て、スライドバー５２の固定金具５３を緩めてスライド部材２を所定の位置にセットする。この際、板材Ｔの側壁Ｓからマーカー３２までの距離は目盛り５６によって読み取ることが出来るので、スライド部材２を正しい位置に容易にセットすることができる。固定金具５３を締めてから摺動板５１と固定金具５３の把持部５５を両手で持って手前方向にスライド部材２を摺動させれば、回転ドラム３１は回転してマーカー３２によって基準線Ｌ上に等間隔のマークを付けることができる。
【００３０】
スライド部材２の側壁２０は回転ドラム３１の回転軸２２に対して直角であるので、小物の板材の場合は、直接この側壁２０に定規を当ててスライド部材２を摺動させても、マーキング作業を行うことができる。
【図面の簡単な説明】
【００３１】
【図１】本発明のマーキング用器具の斜面図。
【図２】図１の平面図。
【図３】図２のＡ−Ａ線による断面図。
【図４】図２のＢ−Ｂ線による断面図。
【図５】支柱の側面図。
【図６】スライド部材の裏面図。
【図７】回転ドラムの拡大断面図。
【図８】マーカーの斜面図。
【符号の説明】
【００３２】
１  マーキング用器具
２  スライド部材
３  マーキング部材
５  ガイド部材
３１  回転ドラム
３２  マーカー
【図１】
0005158559.tif 000002
【図２】
0005158559.tif 000003
【図３】
0005158559.tif 000004
【図４】
0005158559.tif 000005
【図５】
0005158559.tif 000006
【図６】
0005158559.tif 000007
【図７】
0005158559.tif 000008
【図８】
0005158559.tif 000009